【手続補正書】
【提出日】平成21年7月21日(2009.7.21)
【手続補正１】
【補正対象書類名】明細書
【補正対象項目名】特許請求の範囲
【補正方法】変更
【補正の内容】
【特許請求の範囲】
【請求項１】  ＴＶ信号を受信する受信手段と、
前記受信手段で受信したＴＶ信号から、指定されたチャンネルの映像及び番組情報を生成して表示部に表示させる表示手段と、
前記受信手段で受信するチャンネルをチャンネル番号順に順次選局可能な選局キーの操作入力を受け付ける入力手段と、
前記表示部に映像を表示している第１のチャンネルから第２のチャンネルに選局する操作入力を前記入力手段で受けたことに応じて、前記表示部に前記第１のチャンネルの映像を表示させた状態のまま、前記第２のチャンネルの番組情報を前記表示部に表示するよう前記表示手段を制御する制御手段と、
前記第２のチャンネルに選局する操作入力を受けてから所定期間、継続して前記選局キーの操作入力を受け続けているか否かを判定する判定手段と、を有し、
前記第２のチャンネルに選局する操作入力を受けてから前記所定期間継続して前記選局キーの操作入力を受け続けている場合には、前記制御手段は、前記第１のチャンネルの映像を前記表示部に表示させた状態のまま、前記第２のチャンネルの次に選局可能な第３のチャンネルの番組情報を前記表示部に表示するよう前記表示手段を制御し、前記所定期間継続して前記選局キーの操作入力を受け続けていない場合には、前記制御手段は、前記第１のチャンネルの映像に代えて前記第２のチャンネルの映像を前記表示部に表示するよう前記表示手段を制御することを特徴とする信号処理装置。
【請求項２】  前記制御手段は、前記所定期間継続して前記選局キーの操作入力を受けなかった場合には、前記選局キーの操作入力が停止されてからの時間を計測し、当該時間が一定時間経過したことに応じて、前記第１のチャンネルの映像に代えて前記第２のチャンネルの映像を前記表示部に表示し、前記時間が前記一定時間経過する前に前記選局キーの操作入力を前記入力手段で再び受けた場合には、前記第１のチャンネルの映像を前記表示部に表示させた状態のまま、前記第３のチャンネルの番組情報を前記表示部に表示するよう前記表示手段を制御することを特徴とする請求項１に記載の信号処理装置。
【請求項３】  ＴＶ信号を受信する受信工程と、
前記受信工程で受信したＴＶ信号から、指定されたチャンネルの映像及び番組情報を生成して表示部に表示させる表示工程と、
前記受信工程で受信するチャンネルをチャンネル番号順に順次選局可能な選局キーの操作入力を受け付ける入力工程と、
前記表示部に映像を表示している第１のチャンネルから第２のチャンネルに選局する操作入力を前記入力工程で受けたことに応じて、前記表示部に前記第１のチャンネルの映像を表示させた状態のまま、前記第２のチャンネルの番組情報を前記表示部に表示するよう前記表示工程を制御する制御工程と、
前記第２のチャンネルに選局する操作入力を受けてから所定期間、継続して前記選局キーの操作入力を受け続けているか否かを判定する判定工程と、を有し、
前記第２のチャンネルに選局する操作入力を受けてから前記所定期間継続して前記選局キーの操作入力を受け続けている場合には、前記制御工程では、前記第１のチャンネルの映像を前記表示部に表示させた状態のまま、前記第２のチャンネルの次に選局可能な第３のチャンネルの番組情報を前記表示部に表示するよう前記表示工程を制御し、前記所定期間継続して前記選局キーの操作入力を受け続けていない場合には、前記制御工程では、前記第１のチャンネルの映像に代えて前記第２のチャンネルの映像を前記表示部に表示するよう前記表示工程を制御することを特徴とする信号処理方法。
【請求項４】  前記制御工程では、前記所定期間継続して前記選局キーの操作入力を受けなかった場合には、前記選局キーの操作入力が停止されてからの時間を計測し、当該時間が一定時間経過したことに応じて、前記第１のチャンネルの映像に代えて前記第２のチャンネルの映像を前記表示部に表示し、前記時間が前記一定時間経過する前に前記選局キーの操作入力を前記入力工程で再び受けた場合には、前記第１のチャンネルの映像を前記表示部に表示させた状態のまま、前記第３のチャンネルの番組情報を前記表示部に表示するよう前記表示工程を制御することを特徴とする請求項３に記載の信号処理方法。
【手続補正２】
【補正対象書類名】明細書
【補正対象項目名】０００９
【補正方法】変更
【補正の内容】
【０００９】
【課題を解決するための手段】
このような目的下において、本発明の信号処理装置においては、ＴＶ信号を受信する受信手段と、前記受信手段で受信したＴＶ信号から、指定されたチャンネルの映像及び番組情報を生成して表示部に表示させる表示手段と、前記受信手段で受信するチャンネルをチャンネル番号順に順次選局可能な選局キーの操作入力を受け付ける入力手段と、前記表示部に映像を表示している第１のチャンネルから第２のチャンネルに選局する操作入力を前記入力手段で受けたことに応じて、前記表示部に前記第１のチャンネルの映像を表示させた状態のまま、前記第２のチャンネルの番組情報を前記表示部に表示するよう前記表示手段を制御する制御手段と、前記第２のチャンネルに選局する操作入力を受けてから所定期間、継続して前記選局キーの操作入力を受け続けているか否かを判定する判定手段と、を有し、前記第２のチャンネルに選局する操作入力を受けてから前記所定期間継続して前記選局キーの操作入力を受け続けている場合には、前記制御手段は、前記第１のチャンネルの映像を前記表示部に表示させた状態のまま、前記第２のチャンネルの次に選局可能な第３のチャンネルの番組情報を前記表示部に表示するよう前記表示手段を制御し、前記所定期間継続して前記選局キーの操作入力を受け続けていない場合には、前記制御手段は、前記第１のチャンネルの映像に代えて前記第２のチャンネルの映像を前記表示部に表示するよう前記表示手段を制御することを特徴とする。
【手続補正３】
【補正対象書類名】明細書
【補正対象項目名】００１０
【補正方法】変更
【補正の内容】
【００１０】
また、本発明の信号処理方法においては、ＴＶ信号を受信する受信工程と、前記受信工程で受信したＴＶ信号から、指定されたチャンネルの映像及び番組情報を生成して表示部に表示させる表示工程と、前記受信工程で受信するチャンネルをチャンネル番号順に順次選局可能な選局キーの操作入力を受け付ける入力工程と、前記表示部に映像を表示している第１のチャンネルから第２のチャンネルに選局する操作入力を前記入力工程で受けたことに応じて、前記表示部に前記第１のチャンネルの映像を表示させた状態のまま、前記第２のチャンネルの番組情報を前記表示部に表示するよう前記表示工程を制御する制御工程と、前記第２のチャンネルに選局する操作入力を受けてから所定期間、継続して前記選局キーの操作入力を受け続けているか否かを判定する判定工程と、を有し、前記第２のチャンネルに選局する操作入力を受けてから前記所定期間継続して前記選局キーの操作入力を受け続けている場合には、前記制御工程では、前記第１のチャンネルの映像を前記表示部に表示させた状態のまま、前記第２のチャンネルの次に選局可能な第３のチャンネルの番組情報を前記表示部に表示するよう前記表示工程を制御し、前記所定期間継続して前記選局キーの操作入力を受け続けていない場合には、前記制御工程では、前記第１のチャンネルの映像に代えて前記第２のチャンネルの映像を前記表示部に表示するよう前記表示工程を制御することを特徴とする。